(57)【要約】      （修正有）【課題】血行促進とマッサージ効果による皮膚の活性化を向上させるとともに化粧水による皮膚のケアが行なわれ、さらに、皮膚の症状あるいは使用者が自己に適した化粧水を任意に選択及び変更使用することができ、家庭内などにおいて使用及び取り扱いの容易な携帯用スキンケア用具を提供する。【解決手段】噴射管１を有する炭酸ガスボンベＢと、該炭酸ガスボンベＢの噴射管１部への着脱自在の装着部と化粧水収容部１２が設けられ前記炭酸ガスボンベＢに収容された炭酸ガスの噴射時に同時に化粧水を噴射混合するノズル体Ｎと、からなり、前記炭酸ガスボンベＢの噴射管１部への前記ノズル体Ｎの装着を、前記炭酸ガスボンベＢの前記噴射管１の基部周辺に形成した雄ネジ部２に、前記炭酸ガスボンベＢの炭酸ガスの噴射を、前記ノズル体Ｎに形成された円筒状連結部４内を上下動する作動杆６で前記噴射管１を押圧して行うこと。【選択図】図２
0003133651.tif 000002
【実用新案登録請求の範囲】
【請求項１】
噴射管を有する炭酸ガスボンベと、該炭酸ガスボンベの噴射管部への着脱自在の装着部と化粧水収容部が設けられ前記炭酸ガスボンベに収容された炭酸ガスの噴射時に同時に化粧水を混合噴射するノズル体と、からなることを特徴とする携帯用スキンケア用具。
【請求項２】
前記炭酸ガスボンベの噴射管部への前記ノズル体の装着を、前記炭酸ガスボンベの前記噴射管の基部周辺に形成した雄ネジ部に、前記ノズル体に形成した円筒状連結部内の雌ネジ部との螺合で行うことを特徴とする請求項１に記載の携帯用スキンケア用具。
【請求項３】
前記炭酸ガスボンベの炭酸ガスの噴射を、前記ノズル体に形成された円筒状連結部内を上下動する作動杆で前記噴射管を押圧して行うことを特徴とする請求項２に記載の携帯用スキンケア用具。
【考案の詳細な説明】
【技術分野】
【０００１】
本考案は、家庭等において、炭酸ガスと任意の化粧水とを組み合わせて使用することができ、使用及び取り扱いの容易な携帯用スキンケア用具に関する。
【背景技術】
【０００２】
従来、炭酸ガスを皮膚や頭皮に作用させると、毛細血管拡張作用により血行が促進され、皮膚が活性化することが知られている（特許文献１、特許文献２、特許文献３等）。
【０００３】
特許文献１には、炭酸ガスを毛髪及び頭皮に作用させる毛髪及び頭皮の炭酸ガス処理方法が開示されている。また、特許文献２には、低コストで且つ環境への影響が少なく、血行促進作用を有する炭酸ガスを顔面に噴射する顔面マッサージ用具が開示されている。また、特許文献３には、エアゾール容器に、化粧料原液と、炭酸ガス、窒素ガス、亜酸化窒素ガス等の圧縮ガスを充填したエアゾール化粧料が開示されている。
【特許文献１】特開平１１−２０６４３７号公報
【特許文献２】特開平８−２８０７６９号公報
【特許文献３】特開２００４−２３６８７２号公報  前記特許文献３に示されたエアゾール化粧料は、化粧料導出チューブが化粧料原液中に浸漬された正立噴射用のエアゾール容器内に、化粧料原液及び炭酸ガス等が分離されて充填させられてなるものであり、化粧料原液中に溶解した炭酸ガスが、その化粧料原液が酸性である場合にＣＯ２分子として存在し、皮膚や頭皮中の毛細血管の血管拡張作用を有し、エアゾール化粧料のマッサージ効果と血行促進効果を増強させることができるので好ましい、とされている。
【考案の開示】
【考案が解決しようとする課題】
【０００４】
本考案は、炭酸ガスと化粧水を混合噴射して血行促進とマッサージ効果による皮膚の活性化を向上させるとともに化粧水による皮膚のケアが行われ、さらに、皮膚の症状あるいは使用者が自己に適した化粧水を任意に選択及び変更使用することができ、家庭内などにおいて使用及び取り扱いの容易な携帯用スキンケア用具を提供することを目的とする。
【課題を解決するための手段】
【０００５】
前記目的達成のために、噴射管を有する炭酸ガスボンベと、該炭酸ガスボンベの噴射管部への着脱自在の装着部と化粧水収容部が設けられ前記炭酸ガスボンベに収容された炭酸ガスの噴射時に同時に化粧水を混合噴射するノズル体と、からなることを特徴とする（請求項１）。
【０００６】
前記本考案で使用される炭酸ガスボンベは、手持ち可能な缶状のボンベであり内部に圧縮された炭酸ガスが収容され、噴射管を有し、該噴射管を押圧することにより、ボンベ内部に設けられたバルブが開放されて、前記噴射管から炭酸ガスが噴射させられる構成である。
【０００７】
また、前記ノズル体は、前記炭酸ガスボンベの前記噴射管部に着脱自在に構成される。すなわち、消尽した炭酸ガスボンベの交換が可能に構成される。また、前記炭酸ガスの噴射は、具体的には、前記炭酸ガスボンベに装着された前記ノズル体側に、前記噴射管の押圧部を設けて行われる。
【０００８】
さらに、前記ノズル体には、前記炭酸ガスの噴射時に同時に噴射される化粧水収容部が設けられる。該化粧水収容部は、前記ノズル体の噴射口に化粧水を供給するように設けられる。
【０００９】
本考案は、前記炭酸ガスと化粧水の混合物を、顔面等の皮膚に噴射することにより、血行促進とマッサージ効果により皮膚が活性化させられ、化粧水による皮膚のケアが行われるものである。
【００１０】
本考案の実施の一形態は、前記炭酸ガスボンベの噴射管部への前記ノズル体の装着を、前記炭酸ガスボンベの噴射管の基部周辺に形成した雄ネジ部に、前記ノズル体形成した円筒状連結部内の雌ネジ部との螺合で行うことを特徴とする（請求項２）。
【００１１】
この実施の一形態によれば、前記炭酸ガスボンベに対する前記ノズル体の装着が可能であるが、さらに、前記ノズル体の円筒状連結部を利用して、前記ガスボンベの噴射管を押圧操作する装置の構成及び前記ガスボンベから前記ノズル体への炭酸ガスの供給路を容易に確保することができる。
【００１２】
本考案の他の実施の形態は、前記炭酸ガスボンベの炭酸ガスの噴射を、前記ノズル体に形成された円筒状連結部内を上下動する作動杆を押圧して行うことを特徴とする（請求項３）。
【００１３】
この実施の一形態によれば、前記のごとく、前記ガスボンベの噴射管を押圧操作する装置の構成及び前記ガスボンベから前記ノズル体への炭酸ガスの供給路を容易に確保することができる。
【考案の効果】
【００１４】
本考案の携帯用スキンケア用具によれば、炭酸ガスと化粧水の混合噴射により、血行促進とマッサージ効果による皮膚の活性化が行われるとともに化粧水による皮膚のケアが行われる。さらに、皮膚の症状あるいは使用者が自己に適した化粧水を任意に選択及び変更使用することができる。
【考案を実施するための最良の形態】
【００１５】
以下に、本考案に係る携帯用スキンケア用具の実施の一形態について説明する。まず、炭酸ガスボンベＢについて説明する。該炭酸ガスボンベＢは、従来のエアゾール容器と同様に、上端部に噴射管１が設けられ、該噴射管１を適宜の方法で押圧下降させることにより内部に設けられた図示しないバルブが開いて内部に充填された炭酸ガス噴射される構成である。
【００１６】
本考案では、前記噴射管１の基部周辺に雄ネジ部２が形成される。図面実施例では、前記噴射管１の押圧下降を阻害しないように、前記炭酸ガスボンベＢと一体に円筒状部３が成形され、その周囲に前記雄ネジ２が形成される。
【００１７】
一方、ノズル体Ｎには、円筒状連結部４が形成され、その内部には、前記雄ネジ部２に螺合する雌ネジ部５が形成される。さらに、前記円筒状連結部４内には、前記噴射管１を押圧下降させる作動杆６が設けられ、該作動杆６の上端には、押圧部７が一体に形成される。
【００１８】
前記作動杆６の下端は、前記噴射管１の上端に当接させられ、該噴射管１及び前記作動管６は、常時は、上方定位置に静止させられている。すなわち、前記噴射管１は内部に充填された炭酸ガスによって常時は、上方に押し上げられた定位置にあり、該噴射管１の上端に当接させられた前記作動杆７も上方定位置に静止させられている。
【００１９】
なお、炭酸ガスの噴射時には、前記作動杆６の押圧部７を押圧して下降させると、前記作動杆６を介して前記噴射管１が下降させられ、前記炭酸ガスボンベＢの内部に設けられ図示しないバルブが開かれて炭酸ガスが前記ノズル体Ｎの内部に供給される。図面実施例では、前記噴射管１の上端に溝孔８が設けられ、該溝孔８から炭酸ガスが通路９、１０を通ってノズル先端部１１に供給されるものである。
【００２０】
さらに、前記ノズル体Ｎには、化粧水収容部１２が設けられる。該化粧水収容部１２には、使用中の漏れを防ぐため小さな空気孔１３を有する蓋１４が設けられ、その底部が連通管１５を介して前記炭酸ガスの通路１０、あるいは前記ノズル先端部１１に連通させられる。図中、１６は、噴射状態を調整するためのニードル、１７は該ニードルの１６の調整摘みである。
【００２１】
前記構成の携帯用スキンケア用具は、前記炭酸ガスボンベＢに前記ノズル体Ｎを装着して、前記化粧水収容部１２に適宜化粧水を供給して使用される。すなわち、前記作動杆６の押圧部７を押圧して下降させると、前記作動杆６を介して前記噴射管１が下降させられ、炭酸ガスボンベＢの内部に設けられた図示しないバルブが開かれて炭酸ガスが前記ノズル体Ｎの内部に供給される。
【００２２】
同時に、前記化粧水収容部１２に収用された化粧水が、前記炭酸ガスの噴射に吸引されて、前記化粧水収容部１２の底部から前記連通管１５を通ってノズル先端部１１から炭酸ガスとともに噴射させられるものである。
【図面の簡単な説明】
【００２３】
【図１】本考案の実施形態による携帯用スキンケア用具の一部省略分解図である。
【図２】図１に示すノズル体及び化粧水収容部の一部断面図である。
【図３】図１に示す化粧水収容部及びノズル体の一部断面図である。
【符号の説明】
【００２４】
１  噴射管
２  雄ネジ部
４  円筒状連結部
５  雌ネジ部
６  作動杆
１２  化粧水収容部
Ｂ  ボンベ
Ｎ  ノズル体
【図１】
0003133651.tif 000003
【図２】
0003133651.tif 000004
【図３】
0003133651.tif 000005